(57)【要約】【課題】本発明はセルフクリーニング水晶ガラスケースを開示した。【解決手段】本体を含み、前記本体の中には上方に開口した空チャンバが設置され、前記空チャンバの頂壁には水晶ガラスが固定的に設置され、前記空チャンバの前後端壁には内方に開口した第一スライド溝が対称的に設置され、前記第一スライド溝の中には第一永久磁石がスライド可能に設置され、二つの前記第一永久磁石の頂面には前記水晶ガラスと接触する第一清潔布が固定的に設置され、前記第一永久磁石と前記第一スライド溝の左端壁との間には第一ばねが連結され、前記水晶ガラスの頂面には第二清潔布がスライド可能に設置され、前記第二清潔布の頂面には前記第一永久磁石と吸引し合う第二永久磁石が固定的に設置され、前記第二永久磁石の頂面にはハンドルが固定的に設置され、前記空チャンバの後側の前記第一第一永久磁石の右端面には圧迫棒が固定的に設置される。【選択図】図１
2020175140.tif 000002
【特許請求の範囲】
【請求項１】
正面視で、本体を含み、前記本体の中には上方に開口した空チャンバが設置され、前記空チャンバの頂壁には水晶ガラスが固定的に設置され、前記空チャンバの前後端壁には内方に開口した第一スライド溝が対称的に設置され、前記第一スライド溝の中には第一永久磁石がスライド可能に設置され、二つの前記第一永久磁石の頂面には前記水晶ガラスと接触する第一清潔布が固定的に設置され、前記第一永久磁石と前記第一スライド溝の左端壁との間には第一ばねが連結され、前記水晶ガラスの頂面には第二清潔布がスライド可能に設置され、前記第二清潔布の頂面には前記第一永久磁石と吸引し合う第二永久磁石が固定的に設置され、前記第二永久磁石の頂面にはハンドルが固定的に設置され、前記空チャンバの後側の前記第一第一永久磁石の右端面には圧迫棒が固定的に設置され、前記圧迫棒の中には上方に開口した斜め溝が設置され、前記空チャンバの右端壁の中にはロック溝が連通するように設置され、前記圧迫棒が前記ロック溝の中に伸びることができ、前記ロック溝の頂壁には上方に開口した第二スライド溝が連通するように設置され、前記第二スライド溝の中には前記斜め溝の中に挿入可能な斜めブロックがスライド可能に設置され、前記斜めブロックの頂面には第一ボタンが固定的に設置され、前記第一ボタンと前記本体の頂面との間には第二ばねが連結され、前記ロック溝の右端壁の中には第一スイッチが固定的に設置され、前記第一スイッチの底端には第二スイッチが直列接続され、前記第二スイッチの右端壁には右方に開口した第三スライド溝が設置され、前記第三スライド溝の中には第二ボタンがスライド可能に設置され、前記第三スライド溝の底壁には第四スライド溝が連通するように設置され、前記第四スライド溝の中には前記第二ボタンと固定的に連結された第一スライドブロックがスライド可能に設置され、前記第一スライドブロックと前記第四スライド溝の左端壁には第三ばねが連結され、前記空チャンバの底壁には排水口が外部に連通するように設置され、前記排水口の右側端壁の中には第一回転チャンバと、前記第一回転チャンバの下側に位置した第二回転チャンバとが設置され、前記第一回転チャンバと前記第二回転チャンバとの間には前記第二スイッチと通電できるように接続されたモータが固定的に設置され、前記モータの頂端には前記空チャンバの中に位置した第一主動軸が伝動可能に連結され、前記第一主動軸の頂端には円盤が固定的に設置され、前記円盤と前記第一主動軸の中には工字型通し溝が設置され、前記円盤の中には泡散らし機構が設置され、前記第一回転チャンバの右端壁には泡チャンバが設置され、前記泡チャンバと前記第一回転チャンバとの間には泡入りパイプが連通するように設置され、前記泡入りパイプの中には前記第二スイッチと通電できるように接続された圧力ポンプが設置され、前記モータの底端には第二主動軸が伝動可能に連結され、前記第二主動軸にはリールが固定的に設置され、前記リールと前記空チャンバの前後側端壁との間には擦り落とし機構が設置されることで、前記圧迫棒が前記第一スイッチを圧迫した後、前記第二ボタンを押してから初めて前記圧力ポンプと前記モータとを始動でき、前記圧力ポンプが前記泡チャンバの中の清潔泡を前記工字型通し溝の中に吐出すると同時に、前記モータが前記泡散らし機構と前記擦り落とし機構に動力を伝達して洗浄を行うことを特徴とするセルフクリーニング水晶ガラスケース。
【請求項２】
前記円盤には回転軸が左右対称的に回転可能に設置され、前記回転軸には第一傘歯車と、前記第一傘歯車の外側に位置した泡散らし棒とが固定的に設置され、前記泡散らし棒の中には前記空チャンバに連通したＴ型通し溝が設置され、前記回転軸の中には前記Ｔ型通し溝と前記工字型通し溝とを連通した貫穴が設置され、前記空チャンバの底壁には支持棒が左右対称且つ固定的に設置され、前記支持棒の頂面には前記第一傘歯車と噛み合った第二傘歯車が固定的に設置されていることで、前記第一主動軸の回転に連動して前記泡散らし棒が前記第一主動軸の周りを回転すると同時に、前記第一傘歯車と前記第二傘歯車との噛合に連動して前記泡散らし棒が前記回転軸の周りを回転し、前記泡散らし棒が遠心力の作用によって横縦の両方向に泡を散らすことを特徴とする請求項１に記載のセルフクリーニング水晶ガラスケース。
【請求項３】
前記空チャンバの左右端壁にはいずれも後方に開口した第五スライド溝が連通するように設置され、前記第五スライド溝の中には第二スライドブロックがスライド可能に設置され、前記第二スライドブロックの内側端面にはそれぞれ前記空チャンバの左右端壁と接触する第一擦り板が固定的に設置され、前記第一擦り板の前後端面にはそれぞれ前記空チャンバの前後端壁と接触する第二擦り板が固定的に設置され、前記第二スライドブロックと前記第五スライド溝の頂壁との間には第四ばねが連結され、二つの前記第二スライドブロックの間には連結棒が固定的に設置され、前記連結棒と前記リールとの間には鋼線が連結されていることで、前記リールに前記鋼線を巻き付けて前記第一擦り板と前記第二擦り板とを前記空チャンバの側面端壁の上でスライドしてこすってクリーニングすることを特徴とする請求項１に記載のセルフクリーニング水晶ガラスケース。
【発明の詳細な説明】
【技術分野】
【０００１】
本発明はガラスケースクリーニング分野に関し、具体的にはセルフクリーニング水晶ガラスケースに関する。
【背景技術】
【０００２】
伝統的な水晶ガラスケースはほとんど人工でクリーニングを行い、頂部のガラスしか洗浄できなく、しかも簡単な拭きに過ぎないため、クリーニングの面積が小さく、効果が弱い。また、セルフクリーニングのガラスケースは、クリーニングを行う条件を正確に判断できないと、誤操作によってケース内の物品を壊す恐れがある。そのため、セルフクリーニング水晶ガラスケースをデザインして上記の問題を解決する必要がある。
【先行技術文献】
【特許文献】
【０００３】
【特許文献１】中国特許出願公開第１０４８５６５１３号明細書
【発明の概要】
【発明が解決しようとする課題】
【０００４】
本発明の目的はセルフクリーニング水晶ガラスケースを提供し、それは上記の現在の技術中の問題を解決できる。
【課題を解決するための手段】
【０００５】
上記の課題を解決するため、本発明は以下の技術プランを採用する：セルフクリーニング水晶ガラスケースは、本体を含み、前記本体の中には上方に開口した空チャンバが設置され、前記空チャンバの頂壁には水晶ガラスが固定的に設置され、前記空チャンバの前後端壁には内方に開口した第一スライド溝が対称的に設置され、前記第一スライド溝の中には第一永久磁石がスライド可能に設置され、二つの前記第一永久磁石の頂面には前記水晶ガラスと接触する第一清潔布が固定的に設置され、前記第一永久磁石と前記第一スライド溝の左端壁との間には第一ばねが連結され、前記水晶ガラスの頂面には第二清潔布がスライド可能に設置され、前記第二清潔布の頂面には前記第一永久磁石と吸引し合う第二永久磁石が固定的に設置され、前記第二永久磁石の頂面にはハンドルが固定的に設置され、前記空チャンバの後側の前記第一第一永久磁石の右端面には圧迫棒が固定的に設置され、前記圧迫棒の中には上方に開口した斜め溝が設置され、前記空チャンバの右端壁の中にはロック溝が連通するように設置され、前記圧迫棒が前記ロック溝の中に伸びることができ、前記ロック溝の頂壁には上方に開口した第二スライド溝が連通するように設置され、前記第二スライド溝の中には前記斜め溝の中に挿入可能な斜めブロックがスライド可能に設置され、前記斜めブロックの頂面には第一ボタンが固定的に設置され、前記第一ボタンと前記本体の頂面との間には第二ばねが連結され、前記ロック溝の右端壁の中には第一スイッチが固定的に設置され、前記第一スイッチの底端には第二スイッチが直列接続され、前記第二スイッチの右端壁には右方に開口した第三スライド溝が設置され、前記第三スライド溝の中には第二ボタンがスライド可能に設置され、前記第三スライド溝の底壁には第四スライド溝が連通するように設置され、前記第四スライド溝の中には前記第二ボタンと固定的に連結された第一スライドブロックがスライド可能に設置され、前記第一スライドブロックと前記第四スライド溝の左端壁には第三ばねが連結され、前記空チャンバの底壁には排水口が外部に連通するように設置され、前記排水口の右側端壁の中には第一回転チャンバと、前記第一回転チャンバの下側に位置した第二回転チャンバとが設置され、前記第一回転チャンバと前記第二回転チャンバとの間には前記第二スイッチと通電できるように接続されたモータが固定的に設置され、前記モータの頂端には前記空チャンバの中に位置した第一主動軸が伝動可能に連結され、前記第一主動軸の頂端には円盤が固定的に設置され、前記円盤と前記第一主動軸の中には工字型通し溝が設置され、前記円盤の中には泡散らし機構が設置され、前記第一回転チャンバの右端壁には泡チャンバが設置され、前記泡チャンバと前記第一回転チャンバとの間には泡入りパイプが連通するように設置され、前記泡入りパイプの中には前記第二スイッチと通電できるように接続された圧力ポンプが設置され、前記モータの底端には第二主動軸が伝動可能に連結され、前記第二主動軸にはリールが固定的に設置され、前記リールと前記空チャンバの前後側端壁との間には擦り落とし機構が設置されることで、前記圧迫棒が前記第一スイッチを圧迫した後、前記第二ボタンを押してから初めて前記圧力ポンプと前記モータとを始動でき、前記圧力ポンプが前記泡チャンバの中の清潔泡を前記工字型通し溝の中に吐出すると同時に、前記モータが前記泡散らし機構と前記擦り落とし機構に動力を伝達して洗浄を行う。
【０００６】
優選的には、前記円盤には回転軸が左右対称的に回転可能に設置され、前記回転軸には第一傘歯車と、前記第一傘歯車の外側に位置した泡散らし棒とが固定的に設置され、前記泡散らし棒の中には前記空チャンバに連通したＴ型通し溝が設置され、前記回転軸の中には前記Ｔ型通し溝と前記工字型通し溝とを連通した貫穴が設置され、前記空チャンバの底壁には支持棒が左右対称且つ固定的に設置され、前記支持棒の頂面には前記第一傘歯車と噛み合った第二傘歯車が固定的に設置されていることで、前記第一主動軸の回転に連動して前記泡散らし棒が前記第一主動軸の周りを回転すると同時に、前記第一傘歯車と前記第二傘歯車との噛合に連動して前記泡散らし棒が前記回転軸の周りを回転し、前記泡散らし棒が遠心力の作用によって横縦の両方向に泡を散らす。
【０００７】
前記空チャンバの左右端壁にはいずれも後方に開口した第五スライド溝が連通するように設置され、前記第五スライド溝の中には第二スライドブロックがスライド可能に設置され、前記第二スライドブロックの内側端面にはそれぞれ前記空チャンバの左右端壁と接触する第一擦り板が固定的に設置され、前記第一擦り板の前後端面にはそれぞれ前記空チャンバの前後端壁と接触する第二擦り板が固定的に設置され、前記第二スライドブロックと前記第五スライド溝の頂壁との間には第四ばねが連結され、二つの前記第二スライドブロックの間には連結棒が固定的に設置され、前記連結棒と前記リールとの間には鋼線が連結されていることで、前記リールに前記鋼線を巻き付けて前記第一擦り板と前記第二擦り板とを前記空チャンバの側面端壁の上でスライドしてこすってクリーニングする。
【発明の効果】
【０００８】
本発明は反応が速やかで、クリーニング効果がよく、しかも安全で頼りになり、操作が簡単で、使用寿命が長い。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のセルフクリーニング水晶ガラスケースの全体構造図
【図２】図２は図１の上面図
【図３】図３は図１の右面図
【図４】図４は図１におけるＡの拡大構造略図
【図５】図５は図１におけるＢの拡大構造略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜５の示すように、本発明のセルフクリーニング水晶ガラスケースは、本体１０を含み、前記本体１０の中には上方に開口した空チャンバ１１が設置され、前記空チャンバ１１の頂壁には水晶ガラス３０が固定的に設置され、前記空チャンバ１１の前後端壁には内方に開口した第一スライド溝３１が対称的に設置され、前記第一スライド溝３１の中には第一永久磁石４５がスライド可能に設置され、二つの前記第一永久磁石４５の頂面には前記水晶ガラス３０と接触する第一清潔布４６が固定的に設置され、前記第一永久磁石４５と前記第一スライド溝３１の左端壁との間には第一ばね３２が連結され、前記水晶ガラス３０の頂面には第二清潔布２９がスライド可能に設置され、前記第二清潔布２９の頂面には前記第一永久磁石４５と吸引し合う第二永久磁石２８が固定的に設置され、前記第二永久磁石２８の頂面にはハンドル２７が固定的に設置され、前記空チャンバ１１の後側の前記第一第一永久磁石４５の右端面には圧迫棒４３が固定的に設置され、前記圧迫棒４３の中には上方に開口した斜め溝４４が設置され、前記空チャンバ１１の右端壁の中にはロック溝５１が連通するように設置され、前記圧迫棒４３が前記ロック溝５１の中に伸びることができ、前記ロック溝５１の頂壁には上方に開口した第二スライド溝５０が連通するように設置され、前記第二スライド溝５０の中には前記斜め溝４４の中に挿入可能な斜めブロック４９がスライド可能に設置され、前記斜めブロック４９の頂面には第一ボタン４７が固定的に設置され、前記第一ボタン４７と前記本体１０の頂面との間には第二ばね４８が連結され、前記ロック溝５１の右端壁の中には第一スイッチ５８が固定的に設置され、前記第一スイッチ５８の底端には第二スイッチ５７が直列接続され、前記第二スイッチ５７の右端壁には右方に開口した第三スライド溝５６が設置され、前記第三スライド溝５６の中には第二ボタン５５がスライド可能に設置され、前記第三スライド溝５６の底壁には第四スライド溝５２が連通するように設置され、前記第四スライド溝５２の中には前記第二ボタン５５と固定的に連結された第一スライドブロック５３がスライド可能に設置され、前記第一スライドブロック５３と前記第四スライド溝５２の左端壁には第三ばね５４が連結され、前記空チャンバ１１の底壁には排水口１２が外部に連通するように設置され、前記排水口１２の右側端壁の中には第一回転チャンバ１３と、前記第一回転チャンバ１３の下側に位置した第二回転チャンバ１７とが設置され、前記第一回転チャンバ１３と前記第二回転チャンバ１７との間には前記第二スイッチ５７と通電できるように接続されたモータ１６が固定的に設置され、前記モータ１６の頂端には前記空チャンバ１１の中に位置した第一主動軸１５が伝動可能に連結され、前記第一主動軸１５の頂端には円盤３８が固定的に設置され、前記円盤３８と前記第一主動軸１５の中には工字型通し溝１４が設置され、前記円盤３８の中には泡散らし機構９０が設置され、前記第一回転チャンバ１３の右端壁には泡チャンバ２０が設置され、前記泡チャンバ２０と前記第一回転チャンバ１３との間には泡入りパイプ２１が連通するように設置され、前記泡入りパイプ２１の中には前記第二スイッチ５７と通電できるように接続された圧力ポンプ２２が設置され、前記モータ１６の底端には第二主動軸１９が伝動可能に連結され、前記第二主動軸１９にはリール１８が固定的に設置され、前記リール１８と前記空チャンバ１１の前後側端壁との間には擦り落とし機構９１が設置されることで、前記圧迫棒４３が前記第一スイッチ５８を圧迫した後、前記第二ボタン５５を押してから初めて前記圧力ポンプ２２と前記モータ１６とを始動でき、前記圧力ポンプ２２が前記泡チャンバ２０の中の清潔泡を前記工字型通し溝１４の中に吐出すると同時に、前記モータ１６が前記泡散らし機構９０と前記擦り落とし機構９１に動力を伝達して洗浄を行う。
【００１３】
有益的には、前記円盤３８には回転軸４０が左右対称的に回転可能に設置され、前記回転軸４０には第一傘歯車４２と、前記第一傘歯車４２の外側に位置した泡散らし棒５９とが固定的に設置され、前記泡散らし棒５９の中には前記空チャンバ１１に連通したＴ型通し溝４１が設置され、前記回転軸４０の中には前記Ｔ型通し溝４１と前記工字型通し溝１４とを連通した貫穴３９が設置され、前記空チャンバ１１の底壁には支持棒２３が左右対称且つ固定的に設置され、前記支持棒２３の頂面には前記第一傘歯車４２と噛み合った第二傘歯車２４が固定的に設置されていることで、前記第一主動軸１５の回転に連動して前記泡散らし棒５９が前記第一主動軸１５の周りを回転すると同時に、前記第一傘歯車４２と前記第二傘歯車２４との噛合に連動して前記泡散らし棒５９が前記回転軸４０の周りを回転し、前記泡散らし棒５９が遠心力の作用によって横縦の両方向に泡を散らす。
【００１４】
前記空チャンバ１１の左右端壁にはいずれも後方に開口した第五スライド溝３４が連通するように設置され、前記第五スライド溝３４の中には第二スライドブロック３５がスライド可能に設置され、前記第二スライドブロック３５の内側端面にはそれぞれ前記空チャンバ１１の左右端壁と接触する第一擦り板３６が固定的に設置され、前記第一擦り板３６の前後端面にはそれぞれ前記空チャンバ１１の前後端壁と接触する第二擦り板３７が固定的に設置され、前記第二スライドブロック３５と前記第五スライド溝３４の頂壁との間には第四ばね３３が連結され、二つの前記第二スライドブロック３５の間には連結棒２５が固定的に設置され、前記連結棒２５と前記リール１８との間には鋼線２６が連結されていることで、前記リール１８に前記鋼線２６を巻き付けて前記第一擦り板３６と前記第二擦り板３７とを前記空チャンバ１１の側面端壁の上でスライドしてこすってクリーニングする。
【００１５】
下記に、図面と上記の本発明の具体的な構造を合わせて本発明の使用方法を紹介する：
【００１６】
水晶ガラスケースを全面的にクリーニングする時、前記ハンドル２７を右に押してスライドさせて簡単な拭きを行い、前記第一永久磁石４５が最右端にスライドした時、前記圧迫棒４３が前記第一スイッチ５８を圧迫すると同時に、前記斜めブロック４９が前記斜め溝４４の中に伸びて第一永久磁石４５をロックし、頂面を拭くと同時にクリーニングという動作を正確に判断し、スイッチの誤操作よって清潔システムが起動して重大被害を起こすのを防止する。
【００１７】
前記第一スイッチ５８が入ったことで、前記第二ボタン５５を押して前記第二スイッチ５７を入れ、前記第二スイッチ５７が入って前記圧力ポンプ２２と前記モータ１６とを始動する。
【００１８】
前記第一主動軸１５が回転する時、前記第一主動軸１５が回転して前記泡散らし棒５９を連動させて前記第一主動軸１５の周りを回転させ、同時に前記第一傘歯車４２と前記第二傘歯車２４が噛み合って前記泡散らし棒５９を連動させて前記回転軸４０の周りを回転させ、前記泡散らし棒５９が遠心力の作用によって横縦両方向に泡を散らし、清潔泡が均一に散らされ、後続の全方位的なクリーニングに便利を与える。
【００１９】
前記モータ１６が回転する時、前記リール１８が回転して前記鋼線２６を繰り入れ又は繰り出し、前記第一擦り板３６と前記第二擦り板３７とを前記空チャンバ１１の側面端壁で上下にスライドさせ、側面端壁をこすってクリーニングし、クリーニング効率が高く、面積が広い。
【００２０】
本発明は反応が速やかで、クリーニング効果がよく、しかも安全で頼りになり、操作が簡単で、使用寿命が長い。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175140.tif 000003
【図２】
2020175140.tif 000004
【図３】
2020175140.tif 000005
【図４】
2020175140.tif 000006
【図５】
2020175140.tif 000007